(57)【特許請求の範囲】
【請求項１】
足場板の側縁部上に起立姿勢に載置される幅木本体を有し、この幅木本体の前後両端部には夫々、幅木本体の起立姿勢で足場板の外側端面に当接支持される支持面を有するアウターサポートと、同じく起立姿勢で足場板の前後端面に当接支持される支持面及びその端面に突設された足場板係止用フックの内側面部に当接支持される支持面を有するインナーサポートとを設け、これらアウターサポートとインナーサポートとによって幅木本体を足場板の側縁部上で起立姿勢に保持するようにしたもので、インナーサポートの前記両支持面は断面略Ｌ字形部材に一体に形成してなる足場板用幅木。
【請求項２】
幅木本体の前後端部に設けられた端部キャップの下端部に、足場板係止用フックの上端部に係合するよう当該上端部の形状に合わせて切り込んだ切り込み部を設けてなる請求項１に記載の足場板用幅木。
【発明の詳細な説明】
【０００１】
【発明の属する技術分野】
本発明は、建築現場等で仮設される足場板に、その側縁部に沿って取り付けられる足場板用幅木に関するものである。
【０００２】
【従来の技術及びその課題】
建築現場等における足場板上での高所作業では、作業者の手にしたボルト・ナット、金具類等の種々の施工用部品や工具類、足元に置いた各種資材や用具等を誤って落下させ、事故につながるという危険性が常に付きまとう。そこで、安全対策として、足場板の側縁部に添って幅木を取り付けることが行われているが、従来、足場板用幅木を足場板に取り付けるにあたって、足場板の幅木取付部位にボルト孔等を開けるなど足場板側に何らかの加工を施す必要があるため、在来の足場板をそのまま使用できない難点があり、また足場板用幅木の構成が複雑で、足場板への取り付けに手間がかかるという問題があった。
【０００３】
本発明は、足場板側に何の加工も施す必要がなく、在来の足場板をそのまま使用でき、しかも足場板への取付け及び取外しを簡単容易に行える足場板用幅木を提供することを目的とする。
【０００４】
【課題を解決するための手段】
請求項１に係る発明の足場板用幅木は、足場板１の側縁部５上に起立姿勢に載置される幅木本体４を有し、この幅木本体４の前後両端部には夫々、幅木本体４の起立姿勢で足場板１の外側端面６に当接支持される支持面ａを有するアウターサポート１０と、同じく起立姿勢で足場板１の前後端面７に当接支持される支持面ｂ及びその端面７に突設された足場板係止用フック８の内側面部９に当接支持される支持面ｃを有するインナーサポート１１とを設け、これらアウターサポート１０とインナーサポート１１とによって幅木本体４を足場板１の側縁部５上で起立姿勢に保持するようにしたもので、インナーサポート１１の前記両支持面ｂ，ｃは断面略Ｌ字形部材Ｍｏに一体に形成してなる特徴とする。
【０００６】
請求項２は、請求項１に記載の足場板用幅木において、幅木本体４の前後端部に設けられた端部キャップ１２の下端部に、足場板係止用フック８の上端部に係合するよう当該上端部の形状に合わせて切り込んだ切り込み部１４を設けてなることを特徴とする。
【０００７】
【発明の実施の形態】
本発明に係る足場板用幅木について図面を参照して説明すると、図１の（Ａ）は、対向する一対の足場用建枠（図示省略）の横材２，２間に並列状態に架け渡された複数枚の足場板１の両側縁部に、足場板用幅木３，３を足場板１の上側から落とし込んで取り付けようとしている状態を示し、（Ｂ）は足場板用幅木３を取り付けた状態を示す。また、図２の（Ａ）は足場板用幅木３をその外側面側から見た側面図、（Ｂ）は同足場板用幅木３の平面図であり、図３の（Ａ）は図２の（Ａ）の矢印Ｘで囲まれた部分の拡大図、（Ｂ）は同部分の平面図、（Ｃ）は同部分の端面図である。図４は足場板用幅木３の取付状態を示す斜視図、図５は同取付状態の平面図、図６は同取付状態の側面図である。
【０００８】
本発明に係る足場板用幅木３は、足場板１の側縁部５上に図１の（Ｂ）に示すように起立姿勢で載置される幅木本体４を有し、この幅木本体４には、前後両端部に端部キャップ１２，１２が取り付けられている。そして、幅木本体４の前後両端部には夫々、幅木本体４が足場板１の側縁部５上に起立姿勢に載置された状態で足場板１の外側端面６に当接支持される支持面ａ（図５参照）を有するアウターサポート１０と、同じく起立姿勢で足場板１の前後端面７に当接支持される支持面ｂ（図５参照）及びその端面７に突設された足場板係止用フック８の内側面部９に当接支持される支持面ｃ（図５参照）を有するインナーサポート１１とが設けられ、これらアウターサポート１０とインナーサポート１１とによって幅木本体４が足場板１の側縁部５上で起立姿勢に保持されるようになっている。
【０００９】
アウターサポート１０は、図３〜図６に示すように、溝形部材Ｍ１からなるもので、この溝形部材Ｍ１の溝部を外側に向けてその背面を幅木本体４の外側面に当接させた状態でリベットｒで取り付けて、この溝形部材Ｍ１の下端部を幅木本体４の下端から所要長さＬだけ突出させ、この下端突出部分の背面を、足場板１の外側端面６に当接支持される支持面ａとしている。溝形部材Ｍ１の幅木本体４下端からの突出長さＬは、足場板１の厚みＤより若干短い程度である（図３及び図６参照）。
【００１０】
インナーサポート１１は、幅木本体４の前後各端部に取り付けられた溝形部材Ｍ２の下端部に形成される。即ち、図３〜図６から分かるように、足場板用幅木３の端部キャップ１２は、コ字形部材Ｍ３の両側端部を幅木本体４の前後各端部内に挿入してリベットｒ止めすることにより形成されるが、この端部キャップ１２内に、このキャップ１２よりも長い溝形部材Ｍ２を挿通して、この溝形部材Ｍ２を、その背面が幅木本体４の端面に沿った位置で端部キャップ１２のコ字形部材Ｍ３にリベットｒ止めし、しかして端部キャップ１２の下端から突出した溝形部材Ｍ２の下端突出部分がインナーサポート１１となる。このインナーサポート１１を形成する溝形部材Ｍ２の下端突出部分は、その外側側壁部分が切除されて（その切除部分を１３で示す）、断面略Ｌ字状に形成された部材Ｍｏの背面側を、足場板１の前後端面７に当接支持される支持面ｂとし、また断面略Ｌ字状部材Ｍｏにおける前記切除部分１３と対向する内側側壁部分の内面を、足場板係止用フック８の内側面部９に当接支持される支持面ｃとしている。
【００１１】
足場板係止用フック８は、図１、図４、図６及び図７から分かるように、足場板１の前後各端面７の左右両端部から夫々突出するように設けられたもので、足場用建枠（図示省略）の横材２に対し上方より嵌合可能な固定フック本体８ａと、この固定フック本体８ａの例えば内側面側にピン１５，１６によって上下スライド可能に取り付けられ、前記横材２に嵌合可能な開放位置からロック位置へ自重でスライドして、固定フック本体８ａと共に横材２を抱持するためのロック部片８ｂと、から構成される。しかして、インナーサポート１１の支持面ｃが当接する足場板係止用フック８の内側面部９とは、ここではロック部片８ｂの内側面部分となる（図４、図５参照）。
【００１２】
また図６から分かるように、幅木本体４の前後端部に取り付けられた端部キャップ１２の下端部には、足場板係止用フック８を構成する固定フック本体８ａの取付側上端部に係合するよう当該上端部の形状に合わせて切り込んだ切り込み部１４が設けてあり、これによって端部キャップ１２の下端と足場板係止用フック８との間に形成される隙間を最小限に抑えることができ、その隙間から工具類や用具類が落下するようなことがなくなる。
【００１３】
また、インナーサポート１１は、図６及び図７に示すように、足場板係止用フック８のロック部片８ｂが足場用建枠の横材２に係止した状態で動かないように保持して、横材２上での足場板１の横滑りを防止する機能も有する。
【００１４】
以上説明したように構成される足場板用幅木３を足場板１に取り付けるには、図１及び図４に示すように、幅木３を足場板１の側縁部５の上方に持ち来たし、この足場板側縁部５の上方から幅木３をそのまま降ろして、幅木本体４を足場板１の側縁部５上に載置すると共に、幅木本体４の前後両端部に夫々設けてあるアウターサポート１０の支持面ａを足場板１の外側端面６に当接支持させ、且つインナーサポート１１の支持面ｂ及び支持面ｃを足場板１の前後端面７及び足場板係止用フック８のロック部片８ｂの内側面部分（足場板係止用フック８の内側面部９）に当接支持させるようにすればよい。
【００１５】
こうして幅木本体４を足場板１の側縁部５上に載せて、アウターサポート１０の支持面ａを足場板１の外側端面６に当接支持させると共に、インナーサポート１１の支持面ｂ及び支持面ｃを足場板１の前後端面７と足場板係止用フック８のロック部片８ｂの内側面部分に当接支持させるようにすることにより、幅木本体４の前後方向の移動が、幅木本体４の前後両端部にあるインナーサポート１１，１１の支持面ｂ，ｂによって阻止され、そして幅木本体４の左右方向の移動及び倒れが、幅木本体４の前後両端部にあるアウターサポート１０，１０の支持面ａ，ａ及びインナーサポート１１の支持面ｃ，ｃによって阻止され、これによってこの幅木本体４は、足場板１の側縁部５上で起立姿勢に保持固定される。また、この幅木３を取り外すときは、幅木本体４をそのまま持ち上げるだけで、簡単容易に足場板１から取り外すことができる。
【００１６】
上記のように足場板１の上方から幅木本体４を足場板１の側縁部５上に載せてアウターサポート１０の支持面ａを足場板１の外側端面６に当接支持させると共に、インナーサポート１１の支持面ｂ，ｃを足場板１の前後端面７と足場板係止用フック８のロック部片８ｂの内側面部分に当接支持させるようにするだけの極めて簡単な作業で、足場板用幅木３を足場板１の側縁部５に取り付けることができ、また幅木３を取り外すには、幅木３をそのまま持ち上げるだけでよい。
【００１７】
特に、この足場板用幅木３によれば、足場板１側には幅木取付のための何の加工も施す必要がないため、在来の足場板をそのまますることが使用できる。
【００１８】
上述した実施形態では、インナーサポート１１の前記両支持面ｂ，ｃを、溝形部材Ｍ２の下端突出部分である断面略Ｌ字状部材Ｍｏに一体に形成しているが、両支持面ｂ，ｃを夫々別の部材に形成してもよい。この実施形態のように、両支持面ｂ，ｃを断面略Ｌ字状部材Ｍｏに一体に形成することにより、構造が簡素化されて、部品点数が少なくなり、製作が容易となる。
【００１９】
【発明の効果】
請求項１に係る発明の足場板用幅木によれば、幅木を取り付けるには、足場板の上方から幅木本体を足場板の側縁部上に載せてアウターサポート側の支持面を足場板の外側端面に当接支持させ、インナーサポート側の両支持面を足場板の前後端面と足場板係止用フックの内側面部に当接支持させるようにするだけでよく、また幅木を取り外すには、幅木をそのまま持ち上げるだけでよいから、幅木の取付け及び取外しが極めて簡単容易となる。そして特に、この足場板用幅木によれば、足場板側には幅木取付のための何の加工も施す必要がないため、在来の足場板をそのまますることが使用できる。また、インナーサポートの両支持面を断面略Ｌ字形部材に一体に形成することによって、構造が簡素化されて、部品点数が少なくなり、製作が容易となる。
【００２１】
請求項２に記載のように、幅木本体の前後端部に設けられた端部キャップの下端部に、足場板係止用フックの上端部に係合するよう当該上端部の形状に合わせて切り込んだ切り込み部を設けたことにより、端部キャップの下端と足場板係止用フックとの間に形成される隙間を最小限に抑えて、その隙間から工具類や用具類が落下するのを防止できる。
【図面の簡単な説明】
【図１】  （Ａ）は、建枠の横材間に架け渡された足場板の両側縁部に、足場板用幅木を足場板の上側から落とし込んで取り付けようとしている状態を示す斜視図、（Ｂ）は足場板用幅木を取り付けた状態を示す斜視図である。
【図２】  （Ａ）は足場板用幅木をその外側面側から見た側面図、（Ｂ）は同足場板用幅木の平面図であり。
【図３】  （Ａ）は図２の（Ａ）の矢印Ｘで囲まれた部分の拡大図、（Ｂ）は同部分の平面図、（Ｃ）は同部分の端面図である。
【図４】  足場板用幅木の取付状態を示す斜視図である。
【図５】  （Ａ）は同取付状態の平面図、（Ｂ）はインナーサポートを形成する溝形部材の斜視図である。
【図６】  同取付状態の側面図である。
【図７】  同取付状態の端面図である。
【符号の説明】
１              足場板
２              足場用建枠の横材
３              足場板用幅木
４              幅木本体
５              足場板の側縁部
６              足場板の外側端面
７              足場板の前後端面
８              足場板係止用フック
９              足場板係止用フックの内側面部
１０            アウターサポート
１１            インナーサポート
ａ              アウターサポート側の支持面
ｂ，ｃ          インナーサポート側の支持面
１４            端部キャップの下端部の切り込み部
【図１】
0004624609.tif 000002
【図２】
0004624609.tif 000003
【図３】
0004624609.tif 000004
【図４】
0004624609.tif 000005
【図５】
0004624609.tif 000006
【図６】
0004624609.tif 000007
【図７】
0004624609.tif 000008